(57)【要約】【課題】クロック信号のクロック周波数の規則性を排除することができ、クロック周波数の規則性に基づいた不正操作等を防止することができるようにした遊技機を提供する。【解決手段】回転リール（４０）と、インデックス信号を出力するインデックス検出手段（８０）と、所定の周波数でクロック信号を発するプログラマブル発振手段（１００）と、クロック信号のクロック周波数をカウントするカウンタ手段（１１０）とを備えた遊技機（１０）であって、インデックス検出手段（８０）は、回転リール（４０）の周囲に設けたインデックスと、インデックスの通過により、インデックス信号を出力可能なセンサーとを備え、プログラマブル発振手段（１００）は、インデックス信号に基づいて、クロック信号のクロック周波数を変更することを特徴とする。【選択図】    図１
2004209162.tif 000002
【特許請求の範囲】
【請求項１】
周囲に複数の図柄を表示した回転リールと、
前記回転リールの回転にともなうインデックス信号を出力するインデックス検出手段と、
所定の周波数でクロック信号を発するプログラマブル発振手段と、
前記プログラマブル発振手段の発する前記クロック信号のクロック周波数をカウントするカウンタ手段とを備えた遊技機であって、
前記インデックス検出手段は、
前記回転リールの周囲に設けたインデックスと、
前記回転リールの回転にともなうインデックスの通過を検出することにより、前記インデックス信号を出力可能なセンサーとを備え、
前記プログラマブル発振手段は、前記インデックス検出手段の前記インデックス信号に基づいて、前記クロック信号の前記クロック周波数を変更することを特徴とする遊技機。
【請求項２】
前記回転リールは、ｎ個形成され、
前記遊技機は、ｎ個の前記回転リールによるインデックス信号のうち、いずれかの前記回転リールによるインデックス信号に基づいて、前記クロック信号の前記クロック周波数を変更させるための変更信号を、前記プログラマブル発振手段へ出力する信号切換手段を備えたことを特徴とする請求項１記載の遊技機。
【発明の詳細な説明】
【０００１】
【発明の属する技術分野】
この発明は、回転リールを有するスロットマシンのような遊技機に関し、さらに詳しくは、乱数発生用のクロック周波数を変化させて、規則性を排除させることにより不正操作を防止可能な遊技機に関するものである。
【０００２】
【従来の技術】
従来の遊技機において、予め定めた抽選確率に基づいて当選か否かの当選判定の抽選を行うものとして当選抽選手段を有している。そして、当選抽選手段は、当選抽選用の数値を所定の領域内（例えば、十進数で０乃至６５５３５）で発生させる発生手段と、かかる発生手段が発生する数値を、所定の条件（例えば、スタートスイッチの操作）で抽出するための抽出手段とを備えている（例えば、特許文献１、段落番号０１２２乃至０１２５。）。
【０００３】
上述したようなスロットマシン等の遊技機において、当選か否かを判定する当選判定手段の内部で一般的に使用されているものは、ハードウェア乱数と称するものである。このハードウェア乱数は、水晶発振器からなるクロック発振手段が発生する例えば１２ＭＨｚの振動数を、クロックカウンタにより、例えば０〜６５５３５の数値範囲を、繰り返しカウントするものである。これは、円周状の周囲に６５５３６個のマスを均等に配置したルーレットが、一定のスピードで、回転し続けているものである。この仮想ルーレットは、０．０８３マイクロ秒に１回カウントして、１マス進むものであり、上述した６５５３６通りのマス目を有するルーレットを約５．５ミリ秒で一巡するものである。そして、例えば、スタートスイッチが操作された場合、かかるスタートスイッチの操作タイミングで、上記仮想ルーレットの回転を停止し、停止したときの所定位置のマス目の番号を０〜６５５３５の数値範囲における擬似的な乱数として取得しているものである。上記手法では、規定時間ごとに規則的に変化するものであるため、厳密には、「乱数」ではないが、採取するタイミング、上記の例ではスタートスイッチの操作タイミングで行われることは、ランダムと考えられるので、上記手法で採取した数値は、実質的に乱数として機能することとなっているものである。以下、本明細書中における乱数とは、規則的に周期変化する変数で、その取得タイミングがランダムであるため、実質的に乱数として機能するものを含むものである。
【０００４】
しかし、近年の、不正操作を専門とする、いわゆるゴト師と呼ばれる人達の電子化により、上記乱数発生の規則性を、利用した、いわゆる体感器と呼ばれるもので不正遊技者に報知するものがある。
【０００５】
【特許文献１】
特開２００２−３３６４２７号公報（段落番号０１２２、段落番号０１２３、段落番号０１２４及び段落番号０１２５）
【０００６】
【発明が解決しようとする課題】
上述したようなスロットマシンの内部に有する高速回転の仮想ルーレットは、その回転が高速であるがため、遊技者が意図的に狙うことは、容易ではないといわれている。しかし、近年の電子機器の発達にはすさまじいものがあり、高速回転といっても乱数発生における仮想ルーレットの規則性という欠陥が不正操作のターゲットとして狙われることは充分予想される。すなわち、ハードウェア乱数は、所定の時間間隔で、かかる乱数を取得すると、常に同一の数値を採取することが可能となり、同一の抽選結果を得ることが可能になるという規則性を有しているといった問題点があった。
【０００７】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する問題点に鑑みてなされたものであり、その目的とするところは、クロック信号のクロック周波数の規則性を排除することができ、クロック周波数の規則性に基づいた不正操作等を防止することができるようにした遊技機を提供しようとするものである。
【０００８】
（請求項２）
請求項２記載の発明は、上記した請求項１記載の発明の目的に加え、次の点を目的とする。
すなわち、請求項２記載の発明は、クロック信号のクロック周波数の規則性を、さらに排除することができるようにした遊技機を提供しようとするものである。
【０００９】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１０】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１１】
すなわち、本発明に係る遊技機（１０）は、周囲に複数の図柄（６１）を表示した回転リール（４０）と、前記回転リール（４０）の回転にともなうインデックス信号を出力するインデックス検出手段（８０）と、所定の周波数でクロック信号を発するプログラマブル発振手段（１００）と、前記プログラマブル発振手段（１００）の発する前記クロック信号のクロック周波数をカウントするカウンタ手段（１１０）とを備えている。
【００１２】
そして、前記インデックス検出手段（８０）は、前記回転リール（４０）の周囲に設けたインデックスと、前記回転リール（４０）の回転にともなうインデックスの通過を検出することにより、前記インデックス信号を出力可能なセンサーとを備えている。
そして、前記プログラマブル発振手段（１００）は、前記インデックス検出手段（８０）の前記インデックス信号に基づいて、前記クロック信号の前記クロック周波数を変更することを特徴とする。
【００１３】
なお、ここで、遊技機とは、原則として、実際に回転可能な回転リールを有するスロットマシンのようなものを意味するものであるが、パチンコ機等のようなものであっても、遊技機の盤面に、実際に回転可能な回転リールを有するものであれば、かかるパチンコ機も含まれるものである。
また、ここで、「前記回転リール（４０）の回転にともなうインデックス信号」とは、回転リール（４０）の回転回数や、回転角度を検出するための信号であって、回転リール（４０）の回転に基づいて発生する信号であり、その信号の発生回数や、発生タイミングが、回転リール（４０）の回転回数や、回転角度に依存する（対応する）ような信号を意味する。具体的には、回転リール（４０）の外周部に固定されて、或いは回転リール（４０）の構造体と一体となって、回転リール（４０）の回転移動と共に回転移動可能な目印となるようなインデックスが形成されているような場合、センサーにより、かかるインデックスの回転移動を検出して、その検出に対応して発生するような信号を意味するものである。
【００１４】
また、ここで、「前記回転リール（４０）の回転にともなうインデックス信号を出力するインデックス検出手段（８０）」のインデックス検出手段（８０）とは、その請求項に記載の「前記回転リール（４０）の周囲に設けたインデックスと、前記回転リール（４０）の回転にともなうインデックスの通過を検出することにより、前記インデックス信号を出力可能なセンサーとを備え」ているものである。このようにインデックス検出手段（８０）は、回転リール（４０）の回転回数や、回転角度を検出するために、回転リール（４０）の回転にともなって発生するインデックス信号を、検出することができるものを意味する。具体的には、例えば、インデックス検出手段（８０）は、回転リール（４０）の外周部に外方に突出する四角薄板の突状のインデックスと、このインデックスの移動経路の途中に跨るように配置されたランプ及びそのランプの光を常時検出可能なフォトトランジスタからなる光センサーとを備えているようなものを含むものである。このインデックス検出手段（８０）は、回転リール（４０）の回転によりインデックスが、ランプ及びフォトトランジスタの間を遮断し、インデックスの通過を検出することができるものである。
【００１５】
また、インデックス検出手段（８０）は、回転リール（４０）の周囲に固定した金属片からなるインデックスと、このインデックスの移動経路に近接した磁気センサーとを備えているようなものでも良いものである。
（作用）
本発明は、プログラマブル発振手段（１００）が、インデックス検出手段（８０）のインデックス信号に基づいて、クロック信号のクロック周波数を変更している。このため、クロック信号のクロック周波数を、絶えず変化させることができ、常に同一のクロック周波数を使用するようなものと比較して、クロック周波数の規則性を利用するような不正操作を防止することが可能となる。
【００１６】
さらに、インデックス検出手段（８０）のインデックス信号は、回転リール（４０）の回転にともなって決定されるものである。そして、かかる回転リール（４０）の回転の回数や、停止位置は、遊技中、同一に操作することは、容易ではなく、常に変化するものである。すなわち、回転リール（４０）の回転の回数が変化することにより、インデックス信号の発生回数を変化させることができる。また、回転リール（４０）の停止位置が変わることにより、インデックス信号が発生するタイミングも変化させることができる。このようにインデックス信号の発生回数や、発生タイミングが変化することにより、プログラマブル発振手段（１００）は、クロック信号のクロック周波数の変更回数や、変更タイミングを変化させることができる。これにより、クロック信号のクロック周波数の規則性を排除することができ、クロック周波数の規則性に基づいた不正操作等を防止することができる。
【００１７】
（請求項２）
請求項２記載の発明は、上記した請求項１記載の発明の特徴点に加え、次の点を特徴とする。
すなわち、前記回転リール（４０）は、ｎ個形成されている。
そして、前記遊技機（１０）は、ｎ個の前記回転リール（４０）によるインデックス信号のうち、いずれかの前記回転リール（４０）によるインデックス信号に基づいて、前記クロック信号の前記クロック周波数を変更させるための変更信号を、前記プログラマブル発振手段（１００）へ出力する信号切換手段（９０）を備えたことを特徴とする。
【００１８】
なお、ここで、「前記回転リール（４０）によるインデックス信号」とは、上述したように、回転リール（４０）の周囲に設けたインデックスの通過をセンサーが検出することにより、インデックス検出手段（８０）が、出力する信号を意味するものである。
また、ここで、「ｎ個の前記回転リール（４０）によるインデックス信号のうち、いずれかの前記回転リール（４０）によるインデックス信号に基づいて、」とは、ｎ個の回転リール（４０）のうちの中の特定されていない、いずれかの回転リール（４０）の回転にともなうインデックス信号に基づいていることを意味するものである。そして、「いずれかの前記回転リール（４０）」とは、ｎ個の回転リール（４０）のうち、特定の回転リール（４０）に特定されていないものであって、ｎ個の回転リール（４０）のうち、いずれの回転リール（４０）でも良いものである。実際には、いずれの回転リール（４０）の回転によるインデックス信号に基づくものかは、予め決定されておらず、最初に、インデックスが、センサーを通過して、最も早くインデックス信号が発生した回転リール（４０）によるものとなるものである。
【００１９】
また、ここで、「信号切換手段（９０）」は、具体的には、図１に示すように、ＯＲ回路部（９１）と、信号切換部（９２）とを備えているようなものを含む。そして、ＯＲ回路部（９１）は、３つの回転リール（４０）のうち、いずれかの回転リール（４０）の回転にともなうインデックス信号が入力されることにより、信号切換部（９２）へインデックス信号を出力可能なものである。そして、信号切換部（９２）は、ＯＲ回路部（９１）からのインデックス信号に基づいて、予め定めた所定の変更信号を、プログラマブル発振手段（１００）へ出力可能なものである。
【００２０】
（作用）
本発明は、信号切換手段（９０）が、ｎ個の回転リール（４０）のうち、いずれかの回転リール（４０）によるインデックス信号に基づいて、クロック信号のクロック周波数を変更させるための変更信号を出力する。ここで、各回転リール（４０）の周囲に設けたインデックスの全周上の位置は、それぞれの回転リール（４０）の停止位置が、異なるため、遊技中、不規則に配置することとなる。したがって、ｎ個の回転リール（４０）のうち、インデックス信号が、発生する回転リール（４０）の順番や、インデックス信号が発生するタイミングは、常に不規則なものとなる。このため、ｎ個の回転リール（４０）のうち、いずれの回転リール（４０）に基づいて、インデックス信号が発生し、また、ｎ個の回転リール（４０）のどのような順番で、インデックス信号が発生するのか、予測することが困難となり、クロック信号のクロック周波数の変更を予測することを困難なものにすることができる。したがって、クロック信号のクロック周波数の規則性を、さらに排除することができる。
【００２１】
【発明の実施の形態】
（図面の説明）
図１乃至図６は、本発明の実施の形態を示すものである。
図１は本発明の実施の形態に係る遊技機の回路図、図２は遊技機のブロック図、図３はクロック信号と、分周したクロック信号との関係のタイムチャート、図４はクロック信号と、タイミング信号との関係のタイムチャート、図５は遊技機の外観正面図、図６はプログラマブル発振器の入力信号と、出力信号との関係図をそれぞれ示すものである。
【００２２】
（遊技機１０）
遊技機１０は、図５に示すように、四角箱状の筐体１１を有する。前記筐体１１の中央部から上部には、遊技者側に向かって臨む略四角窓状の表示窓１２が形成されている。そして、この表示窓１２の略中央には、三個の回転リール４０の図柄６１を見ることができる図柄表示窓１３が形成されている。
【００２３】
上記回転リール４０は、図５の向かって左端側に位置する左側回転リール４３と、図５の向かって右端側に位置する右側回転リール４５と、この左側回転リール４３及び右側回転リール４５の間に位置する中央回転リール４４とからなるものである。そして、遊技機１０の前面側には、特に図示しないが、横方向に三本、左右の対角線上の斜め方向に二本の合計五本の入賞ラインが形成されている。
【００２４】
以下に、遊技機１０の外観正面に現れる投入スイッチ１５、ベットスイッチ１６、スタートスイッチ３０、ストップスイッチ５０、リールユニット６０及び報知装置６６について、簡単に説明する。
（投入スイッチ１５）
上記投入スイッチ１５は、図５に示すように、回転リール４０の斜め下方に位置するスイッチであって、遊技メダルのメダル投入口１８から投入された遊技メダルを検知するためのものである。
【００２５】
（ベットスイッチ１６）
上記ベットスイッチ１６は、図５に示すように、回転リール４０の下方に位置するスイッチであって、貯留メダル数を減じてメダル投入に代えるためのものである。
（精算スイッチ１７）
上記精算スイッチ１７は、図５に示すように、回転リール４０の斜め下方に位置するスイッチであって、貯留した投入メダルを払い出すためのものである。
【００２６】
（スタートスイッチ３０）
上記スタートスイッチ３０は、図５に示すように、回転リール４０の斜め下方に位置するレバーであって、遊技メダルの投入若しくはベットスイッチ１６の投入を条件に、または、「再遊技（リプレイ、Ｒｅｐｌａｙ）」時には前遊技から所定時間経過を条件に、リールユニット６０の駆動を開始させるためのものである。
【００２７】
（ストップスイッチ５０）
上記ストップスイッチ５０は、リールユニット６０の駆動を停止させるためのものである。具体的には、ストップスイッチ５０は、図５に示すように、各回転リール４０に対応した三個のスイッチから構成され、各回転リール４０の下方に１個ずつ配置されているものである。回転リール４０に対応したストップスイッチ５０の操作により、当該対応した回転リール４０が回転を停止するように設定されているものである。
【００２８】
（リールユニット６０）
上記リールユニット６０は、特に図示しないが枠体に固定或いは支持された三個のモータと、各々のモータの出力軸に固定された三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。そして、全体形状が略円筒形状回転リール４０の一部に、いわゆるインデックスが形成されている。そして、駆動モータによる回転を開始した後、前記インデックスを検知してからの回転角度を認識することで、現在位置を特定し、その後、所定角度で停止させることによって、停止制御が行われるものである。
【００２９】
（報知装置６６）
上記報知装置６６は、遊技者に当選や入賞等を音や光や映像で報知させるためのものである。具体的には、報知装置６６は、筐体１１の下部に埋め込まれた左右２個のスピーカ６７と、表示窓１２の上部中央に配置されたドット状の大型パネルＬＥＤからなる表示装置６８と、表示窓１２の周囲縁に配置された５個の報知ランプ６９とを備えているものである。そして、この報知装置６６は、当選時や入賞時にスピーカ６７から当選音や入賞音を発生させ、報知ランプ６９を点灯又は点滅させることにより、また、表示装置６８に図柄模様や文字列を点灯表示させることにより、遊技者に当選や入賞等を報知させるためのものである。
【００３０】
本実施の形態に係る遊技機１０は、予め定めた当選率に基づいて当選か否かの当選判定の抽選を行う当選抽選手段２０を備えている。この当選抽選手段２０による抽選結果が当選である場合（内部入賞とも言う。）に当選フラグが成立し、この当選フラグ成立中に、回転リール４０の停止図柄の組み合わせが予め定められた当選図柄と一致したことを条件に入賞し、遊技者にメダルの払い出しや、特別遊技等の利益が付与されるように設定されている。
【００３１】
上述した当選抽選手段２０は、抽選用の数値を所定の領域内（例えば十進数で０乃至６５５３５）で、高速で繰り返し発生させる発生手段７０と、発生手段７０が高速で発生する繰り返し数を、所定の条件（例えば、スタートスイッチ３０の操作）で抽出する抽出手段７５とを備えている。
本実施の形態に係る遊技機１０の当選抽選手段２０の発生手段７０は、周囲に複数の図柄６１を表示した３個の回転リール４０と、３個の各回転リール４０の回転にともなうインデックス信号を出力するインデックス検出手段８０と、３個の前記回転リール４０によるインデックス信号のうち、いずれかの回転リール４０によるインデックス信号に基づいて、クロック信号の前記クロック周波数を変更させるための変更信号を出力する信号切換手段９０と、信号切換手段９０からの変更信号に基づいた所定の周波数でクロック信号を発するプログラマブル発振手段１００と、プログラマブル発振手段１００の発する前記クロック信号のクロック周波数をカウントするカウンタ手段１１０とを備えているものである。
【００３２】
そして、当選抽選手段２０の抽出手段７５は、回転リール４０の回転開始操作が可能なスタートスイッチ３０と、このスタートスイッチ３０からの操作信号に基づいて、発生手段７０の発生する数値を採取するためのタイミング信号を出力可能なタイミング信号発生手段１２０とを備えている。
（インデックス検出手段８０）
上記インデックス検出手段８０は、３個の各回転リール４０の回転にともなって発生するインデックス信号を出力するためのものである。具体的には、インデックス検出手段８０は、回転リール４０の周囲に設けた１個のインデックスと、回転リール４０の回転にともなうインデックスの通過を検出することにより、インデックス信号を出力可能なセンサーとを備えている。具体的には、インデックスは、回転リール４０の中心と、リールテープ４２が貼付される外側の円筒リム部との間に張ってある放射状の細い棒状のスポーク部に回転軸の軸方向と平行となる方向に突出する四角薄板状の突片からなるものである。そして、センサーは、かかる突片からなるインデックスの回転移動経路を跨ぐような略コ字状に形成されている光センサーである。この光センサーは、コ字状の一方側には、コ字状の他方側を臨む面に、ランプが埋め込まれ、コ字状の他方側には、コ字状の一方側を臨む面に、ランプの光を受光可能なフォトトランジスタが埋め込まれている。そして、かかるコ字状の間を、四角薄板状の突片であるインデックスが通過することにより、その通過を検出することができて、インデックス検出手段８０は、インデックス信号を検出するものである。このインデックスは、３個の回転リール４０の全てにそれぞれ形成されてあり、各インデックスの通過をそれぞれ検出可能な光センサーも、各回転リール４０毎に形成されている。なお、この回転リール４０の回転駆動は、ステッピングモータにより行われている。そして、回転リール４０のインデックスの形成位置と、回転リール４０の周囲に貼付したリールテープ４２の図柄位置とは、対応関係が成立するように、予め定められた所定位置に形成され、或いは貼付されている。そして、インデックスの通過のタイミングと、ステッピングモータに送出されたパルス数により、回転リール４０の回転位置を正確に把握することができるものである。
【００３３】
（信号切換手段９０）
上記信号切換手段９０は、３個の回転リール４０によるインデックス信号のうち、いずれかの回転リール４０によるインデックス信号に基づいて、クロック信号のクロック周波数を変更させるための変更信号を、プログラマブル発振手段１００へ出力するためのものである。
【００３４】
具体的には、信号切換手段９０は、図１及び図２に示すように、ＯＲ回路部９１と、信号切換部９２とを備えている。
前記ＯＲ回路部９１は、論理和を出力可能な３入力のゲート回路であって、３つの回転リール４０のうち、いずれかの回転リール４０の回転にともなうインデックス信号が入力されることにより、信号切換部９２の入力端子Ａへインデックス信号を出力可能なものである。
【００３５】
前記信号切換部９２は、ＯＲ回路部９１からのインデックス信号に基づいて、予め定めた所定の変更信号を、プログラマブル発振手段１００へ出力可能なものである。具体的には、信号切換部９２は、ＯＲ回路部９１からのインデックス信号が信号切換部９２の入力端子Ａに入力されるごとに、信号切換部９２の出力端子ＱＢから、プログラマブル発振手段１００のプログラマブル発振器１０１の入力端子Ｂに、また、信号切換部９２の出力端子ＱＡから、プログラマブル発振手段１００のプログラマブル発振器１０１の入力端子Ａに、予め定めた変更信号が送出されるものである。この変更信号は、ロー（Ｌｏｗ）信号と、ハイ（Ｈｉｇｈ）信号との組み合わせから形成されるものである。そして、この信号切換部９２の出力端子ＱＢから、プログラマブル発振器１０１の入力端子Ｂに送出される変更信号と、信号切換部９２の出力端子ＱＡから、プログラマブル発振器１０１の入力端子Ａに、送出される変更信号との組み合わせは、図６に示すように、（ロー信号、ロー信号）と、（ロー信号、ハイ信号）と、（ハイ信号、ロー信号）と、（ハイ信号、ハイ信号）との４種類の組み合わせの信号から形成される。そして、かかる４種類の組み合わせの信号が、信号切換部９２の入力端子Ａにインデックス信号が入力される度に、図６の上から順番にプログラマブル発振器１０１へ出力されて、図６の最下段まで到達すると、再度、最上段の信号の組み合わせがプログラマブル発振器１０１へ出力されるように設定されているものである。
【００３６】
（プログラマブル発振手段１００）
上記プログラマブル発振手段１００は、所定の周波数でクロック信号を発するものであって、具体的には、プログラマブル発振器１０１からなるものである。このプログラマブル発振器１０１は、水晶発振器を内部に有するものであって、所定の入力信号により予め定めた分周機能を有するものである。
【００３７】
なお、このプログラマブル発振器１０１は、１２ＭＨｚのクロック信号を出力端子ＯＵＴ１から出力し、かかるクロック信号は、遊技機１０の制御システムの中枢部であるＣＰＵとその周辺チップへ、これらの動作の基準となるタイミング信号、いわゆるシステムクロックとして、供給している。
そして、このプログラマブル発振器１０１は、インデックス検出手段８０のインデックス信号に基づいて、クロック信号のクロック周波数を変更（分周）するものである。
【００３８】
具体的には、プログラマブル発振器１０１は、図６に示すように、プログラマブル発振器１０１の入力端子Ｂにロー信号が入力され、且つ、プログラマブル発振器１０１の入力端子Ａにロー信号が入力されることにより、２分の１の分周が行われて、プログラマブル発振器１０１の出力端子ＯＵＴ２から、６ＭＨｚのクロック周波数のクロック信号を出力するように設定されている。
【００３９】
また、プログラマブル発振器１０１は、図６に示すように、プログラマブル発振器１０１の入力端子Ｂにロー信号が入力され、且つ、プログラマブル発振器１０１の入力端子Ａにハイ信号が入力されることにより、４分の１の分周が行われて、プログラマブル発振器１０１の出力端子ＯＵＴ２から、３ＭＨｚのクロック周波数のクロック信号を出力するように設定されている。
【００４０】
また、プログラマブル発振器１０１は、図６に示すように、プログラマブル発振器１０１の入力端子Ｂにハイ信号が入力され、且つ、プログラマブル発振器１０１の入力端子Ａにロー信号が入力されることにより、８分の１の分周が行われて、プログラマブル発振器１０１の出力端子ＯＵＴ２から、１．５ＭＨｚのクロック周波数のクロック信号を出力するように設定されている。
【００４１】
また、プログラマブル発振器１０１は、図６に示すように、プログラマブル発振器１０１の入力端子Ｂにハイ信号が入力され、且つ、プログラマブル発振器１０１の入力端子Ａにハイ信号が入力されることにより、１６分の１の分周が行われて、プログラマブル発振器１０１の出力端子ＯＵＴ２から、７５０ＫＨｚのクロック周波数のクロック信号を出力するように設定されている。
【００４２】
例えば、図３に示すように、プログラマブル発振器１０１の出力端子ＯＵＴ１から１２ＭＨｚのクロック周波数のクロック信号Ａが出力されているものである。そして、例えば、当初、６ＭＨｚのクロック周波数を有するクロック信号Ｂは、２回のインデックス信号がＯＲ回路部９１から信号切換部９２に送出されることにより、信号切換部９２からの変更信号に基づいて、６ＭＨｚ→３ＭＨｚ→１．５ＭＨｚと分周される。そして、特に図示していないが、さらに、インデックス信号が送出されることにより、１．５ＭＨｚ→７５０ＫＨｚ→６ＭＨｚ→３ＭＨｚ→１．５ＭＨｚ→７５０ＫＨｚと、繰り返し変更されるように設定されているものである。
【００４３】
（タイミング信号発生手段１２０）
上記タイミング信号発生手段１２０は、スタートスイッチ３０からのスタートスイッチ信号に基づいて、カウンタ手段１１０のクロックカウンタ１１２の繰り返しカウントされる数値を、採取するためのタイミング信号を出力するためのものである。
具体的には、タイミング信号発生手段１２０は、２個のインバータ回路１２１、１２２と、１個のタイミング調整用のＤ型フリップフロップ１２３とから形成されている。
【００４４】
前記インバータ回路１２１は、スタートスイッチ３０からのスタートスイッチ信号が入力されると、かかる信号を反転して、Ｄ型フリップフロップ１２３の入力端子Ｄに出力する。例えば、インバータ回路１２１は、図４に示す信号Ｇが、インバータ回路１２１に入力されると、信号Ｈを、Ｄ型フリップフロップ１２３の入力端子へ出力するものである。
【００４５】
前記インバータ回路１２２は、プログラマブル発振器１０１の出力端子ＯＵＴ２からの分周されたクロック信号が入力されると、かかる信号を反転して、Ｄ型フリップフロップ１２３の入力端子ＣＬＫに出力するものである。例えば、インバータ回路１２２は、図４に示すクロック信号Ｅが、インバータ回路１２２に入力されると、クロック信号Ｆを、Ｄ型フリップフロップ１２３の入力端子ＣＬＫに出力するものである。
【００４６】
前記Ｄ型フリップフロップ１２３は、インバータ回路１２１から入力端子Ｄに入力されたスタートスイッチ信号による信号と、インバータ回路１２２から入力端子ＣＬＫに入力された信号とに基づいて、カウンタ手段１１０のクロックカウンタ１１１、１１２の入力端子ＲＣＬＫに、カウントされる数値を採取するためのタイミング信号を出力するものである。
【００４７】
具体的には、上述した図４に示すような信号Ｆ及び信号Ｈが、インバータ回路１２１及び１２２から入力されることにより、Ｄ型フリップフロップ１２３は、図４に示すタイミング信号Ｉを、Ｄ型フリップフロップ１２３の出力端子Ｑからクロックカウンタ１１１、１１２の入力端子ＲＣＬＫに送出するものである。
（カウンタ手段１１０）
上記カウンタ手段１１０は、プログラマブル発振手段１００の発するクロック信号のクロック周波数をカウントするためのものである。このプログラマブル発振手段１００は、２個の８ビットＩＣからなるクロックカウンタ１１１、１１２で構成される。２個のクロックカウンタ１１１、１１２の一方が、下位カウンタの役割を果たし、他方が、上位カウンタの役割を果たすものである。そして、クロックカウンタ１１１の出力端子Ｒｃｃが、クロックカウンタ１１２の入力端子ＲＣＬＫに接続されることで、両者は直列に配列されているものである。すなわち、２個の８ビットのクロックカウンタ１１１、１１２により、実質的に１６ビットのカウンタを構成し、０から６５５３５までの数値を計数可能なものである。そして、スタートスイッチ３０からのスタートスイッチ信号に基づいたタイミング信号発生手段１２０からのタイミング信号により、所定の数値をラッチし、疑似的な乱数値として、採取することが可能となる。
【００４８】
（効果）
本実施の形態に係る遊技機１０は、プログラマブル発振手段１００が、インデックス検出手段８０のインデックス信号に基づいて、当選抽選手段２０の発生手段７０及び抽出手段７５に使用するクロック信号のクロック周波数を、いずれかの回転リール４０が回転中、変更することができる。このため、クロック信号のクロック周波数を、具体的には、スタートスイッチ３０の押下時から３個の回転リール４０の回転停止まで、絶えず変化させることができる。これにより、当選抽選手段２０の疑似乱数発生用のクロック信号として、常に同一のクロック周波数を使用するようなものと比較して、クロック周波数の規則性を利用するような不正操作を防止することが可能となる。
【００４９】
さらに、インデックス検出手段８０のインデックス信号は、回転リール４０の回転にともなって決定されるものである。そして、かかる回転リール４０の回転の回数や、停止位置は、遊技中、同一に操作することは、容易ではなく、常に変化するものである。すなわち、回転リール４０の回転の合計回数が変化することにより、インデックス信号の発生回数を変化させることができる。また、回転リール４０の停止位置が変わることにより、次の遊技における回転リール４０の回転開始からインデックス信号が発生するまでのタイミングも変化させることができる。このようにインデックス信号の発生回数や、発生タイミングが変化することにより、プログラマブル発振手段１００は、クロック信号のクロック周波数の変更回数や、変更タイミングを、常に変化させることができる。これにより、クロック信号のクロック周波数の規則性を排除することができ、クロック周波数の規則性に基づいた不正操作等を防止することができる。
【００５０】
そして、本実施の形態に係る遊技機１０は、信号切換手段９０が、３個の回転リール４０のうち、いずれかの回転リール４０によるインデックス信号に基づいて、クロック信号のクロック周波数を変更させるための変更信号を出力する。すなわち、ＯＲ回路部９１は、３個の回転リール４０からのいずれかのインデックスの通過を検出したインデックス検出手段８０からのインデックス信号が入力されることにより、かかるインデックス信号を信号切換部９２へ送出する。そして、信号切換部９２が、かかるインデックス信号の入力に基づいて、変更信号をプログラマブル発振手段１００へ出力するものである。ここで、３個の各回転リール４０の周囲に設けたインデックスの全周上の位置は、それぞれの回転リール４０の前回遊技の停止位置が、それぞれ不規則で異なるため、遊技中、不規則に配置することとなる。したがって、３個の回転リール４０のうち、インデックス信号が、発生する回転リール４０の順番や、インデックス信号が発生するタイミングは、常に不規則なものとなる。このため、３個の回転リール４０のうち、いずれの回転リール４０に基づいて、インデックス信号が発生し、また、３個の回転リール４０のどのような順番で、インデックス信号が発生するのか、予測することが困難となり、クロック信号のクロック周波数の変更を予測することを困難なものにすることができる。したがって、クロック信号のクロック周波数の規則性を、さらに排除することができる。
【００５１】
なお、上述した実施の形態で、３個の回転リール４０の回転に基づいて、インデックス信号を採取していたが、かかるインデックス信号を採取する回転リール４０の数は、上述した３個に限定されるものではない。例えば、かかる数値ｎ個を１個や、２個に設定しても良いものであり、また、かかる数値ｎ個を３個以上の数値に設定しても良いものである。
【００５２】
【発明の効果】
本発明は、以上のように構成されているので、以下に記載されるような効果を奏する。
（請求項１）
請求項１記載の発明によれば、次のような効果を奏する。
【００５３】
すなわち、請求項１記載の発明によれば、クロック信号のクロック周波数の規則性を排除することができ、クロック周波数の規則性に基づいた不正操作等を防止することができるようにした遊技機を提供することができる。
（請求項２）
請求項２記載の発明によれば、上記した請求項１記載の発明の効果に加え、次のような効果を奏する。
【００５４】
すなわち、請求項２記載の発明によれば、クロック信号のクロック周波数の規則性を、さらに排除することができるようにした遊技機を提供することができる。
【図面の簡単な説明】
【図１】本発明の実施の形態であって、遊技機の回路図である。
【図２】本発明の実施の形態であって、遊技機のブロック図である。
【図３】本発明の実施の形態であって、クロック信号と、分周したクロック信号との関係を示すタイムチャートである。
【図４】本発明の実施の形態であって、クロック信号と、タイミング信号との関係を示すタイムチャートである。
【図５】本発明の実施の形態であって、遊技機を示す外観正面図である。
【図６】本発明の実施の形態であって、プログラマブル発振器の入力信号と、出力信号との関係を示す関係図である。
【符号の説明】
１０  遊技機                          １１  筐体
１２  表示窓                          １３  図柄表示窓
１５  投入スイッチ                    １６  ベットスイッチ
１７  精算スイッチ                    １８  メダル投入口
２０  当選抽選手段                    ３０  スタートスイッチ
４０  回転リール                      ４２  リールテープ
４３  左側回転リール                  ４４  中央回転リール
４５  右側回転リール                  ５０  ストップスイッチ
６０  リールユニット                  ６１  図柄
６６  報知装置                        ６７  スピーカ
６８  表示装置                        ６９  報知ランプ
７０  発生手段                        ７５  抽出手段
８０  インデックス検出手段            ９０  信号切換手段
９１  ＯＲ回路部                      ９２  信号切換部
１００    プログラマブル発振手段        １０１    プログラマブル発振器
１１０    カウンタ手段                  １１１    クロックカウンタ
１１２    クロックカウンタ              １２０    タイミング信号発生手段
１２１    インバータ回路                １２２    インバータ回路
１２３    Ｄ型フリップフロップ
【図１】
2004209162.tif 000003
【図２】
2004209162.tif 000004
【図３】
2004209162.tif 000005
【図４】
2004209162.tif 000006
【図５】
2004209162.tif 000007
【図６】
2004209162.tif 000008